(57)【要約】      （修正有）【課題】首元のボタン開放時における襟元が開いたシャツのボタンとボタン穴とに取り付けて、装飾的効果や着用の意義を加味できるシャツ用留具を提供する。【解決手段】シャツ用留具１０は、前方からシャツのボタン穴又は前立てに位置決めすることが可能なボタン穴固定部１１と、ボタンをシャツ生地に縫い付けた糸を回避してボタンを受容し前後方向の移動を規制するボタン引掛部１２と、ボタン穴固定部とボタン引掛部とを横方向に連結した板状部１３と、で構成される。【選択図】図２
0003218210.tif 000002
【実用新案登録請求の範囲】
【請求項１】
襟元が開いたシャツの所定のボタンと該ボタンに対応するボタン穴が設けられる上前立てとに取り付けられるシャツ用留具であって、
前記ボタン及び前記ボタン穴又は該ボタン穴が設けられる上前立ての前面を覆って幅方向に延びる板状部と、
少なくとも前記ボタン穴又は該ボタン穴が設けられる上前立てに装着され、前記板状部材の後方で隙間を空けて該板状部材の一端に結合される装着部と、
前記板状部材又は前記装着部に設けられ、前記ボタンを受容するボタン受容部とを備える、シャツ用留具。
【請求項２】
請求項１に記載のシャツ用留具は、襟元が開いたシャツのボタンとボタン穴とを留めていない部分のボタンとボタン穴とに取り付けられ、
前記装着部は、前方からシャツのボタン穴又はその周辺の前立てに固定することが可能なボタン穴固定部を有し、
前記ボタン受容部は、前記ボタンと下前立てとの間で該ボタンと該下前立てとを縫い付けた糸を回避して該ボタンを受容し位置決めするボタン引掛部を有し、
前記板状部は、前記ボタン穴固定部とボタン引掛部とを幅方向に連結する、シャツ用留具。
【請求項３】
前記ボタン穴固定部と前記ボタン引掛部とは、横方向に５０ｍｍ以下である、請求項２に記載のシャツ用留具。
【請求項４】
前記ボタン穴固定部は、前記板状部の裏面から突出して先端側の頭部が根元側より大きい略鋲形状を有し、前方からボタン穴に挿入して先端がボタン穴の縁部に引掛かることで位置決めされる、請求項２又は３に記載のシャツ用留具。
【請求項５】
前記ボタン穴固定部は、開いた襟元から横方向ボタン穴側に侵入させてシャツの上前立てを弾性力により前後方向両側から挟んで固定する挟持手段を有する、請求項２又は３に記載のシャツ用留具。
【請求項６】
前記ボタン引掛部は、前記板状部の裏面から離間して内側方向に開放する開口を有するボタン受容部を設け、請求項２〜５のいずれか１項に記載のシャツ用留具。
【請求項７】
前記ボタン引掛部は、前記板状部の裏面から離間して前後方向に貫通する開口を有するボタン受容部を設け、該開口はボタン径よりも大きい拡大部を有する、請求項２〜５のいずれか１項に記載のシャツ用留具。
【請求項８】
前記ボタン引掛部は、前記板状部の裏面から離間して前後方向に貫通する開口を有するボタン受容部を設け、該開口は切込みが設けられ可撓性を有する樹脂製の膜部材で閉鎖される、請求項２〜５のいずれか１項に記載のシャツ用留具。
【請求項９】
前記ボタン引掛部は、横方向に延びて上下両側から弾性力によりボタンを一対の挟持部材を設ける、請求項２〜５のいずれか１項に記載のシャツ用留具。
【請求項１０】
請求項１に記載のシャツ用留具は、襟元が開いたシャツのボタン穴にボタンが挿入・固定されている位置の最も首元に近い最上部位置に取り付けられるシャツ用留具であって、
前記装着部は、幅方向外側からボタンが留められていない穴又は上前立てを挟んで装着することが可能な上前立て固定部であり、
前記ボタン受容部は、前記上前立て固定部又は前記板状部に設けられ、前記上前立て固定部は上前立てに装着された状態で上下方向にスライドさせると、前記ボタンと下前立てとの間で該ボタンと該下前立てとを縫い付けた糸を回避して該ボタンを受容し幅方向の移動を規制する、請求項１に記載のシャツ用留具。
【請求項１１】
前記上前立て固定部は、前記板状部の一端側を折り曲げて前記板状部と前後方向に隙間を空けて並列して形成され、
前記ボタン受容部は、前記板状部に対して前後方向の隙間が拡大する部分と、該拡大する部分の幅方向両側に前記板状部に対して前後方向の隙間が縮小する部分と、を前記上前立て固定部に設けることで形成される、請求項１０に記載のシャツ用留具。
【請求項１２】
前記上前立て固定部は、前記板状部と前後方向に隙間を空けて並列して形成され、
前記ボタン受容部は、前記板状部に前方向の上下に開放された凹部分を設けることで形成される、請求項１０に記載のシャツ用留具。
【考案の詳細な説明】
【技術分野】
【０００１】
本考案は、襟元が開いたボタン留めのシャツのボタン及びボタン穴に取り付けて目隠して所謂ノーネクタイ時に装飾的・広告的な機能を与えるシャツ用留具に関する。
【背景技術】
【０００２】
近年、夏期のクールビズ期間中は業務中であってもシャツの襟元を開いた開襟状態で過ごし、ネクタイ着用を日常としないスタイルが省エネの観点から積極的に推進されている。しかしながら、従来、フォーマルな状況下ではネクタイ着用を習慣化していた者にとっては所謂ノーネクタイに多少の不安やもの足りなさを感じる場合もある。
【０００３】
また、ビジネスで着用するシャツの場合、ネクタイ着用の方が装飾的にも優位なものが多く、その一方、ノーネクタイを常態としてデザインしたカジュアルな開襟シャツを業務中に着用することにはいまだ抵抗がある者、業種が多いという事実もある。これらのことは、「開襟であること」、「ボタン穴」を見えていることとへの抵抗感に依拠すると考えられる。過去には、クールビス期間中に開襟をしないマオカラーシャツのごときを着用する動きもみられたこともその証左であると言える。
【０００４】
一方、業務時の着用物は業務に対するメリットや社会的に意義が付加され脱着が容易なもの場合、着用に対する抵抗感が大幅に減ることも事実である。例えば、赤い羽根やピンクリボン、自己の会社の広告媒体、首掛け社員証などである。さらに、これに装飾的効果が加味される場合、むしろ積極的に着用を好むものである。
【先行技術文献】
【特許文献】
【０００５】
【特許文献１】特開２０１４−６２３４５号公報
【特許文献２】特開２００５−２５３７６１号公報
【特許文献３】特開２０１７−１８５４５号公報
【考案の概要】
【考案が解決しようとする課題】
【０００６】
本考案は、襟元が開いたシャツ（以下、「開襟シャツ」とも称する）の開襟部の一部及びボタン穴を覆いながら、装飾的効果や着用の意義を加味し得るシャツ用留具を提供することを目的とする。
【課題を解決するための手段】
【０００７】
上記目的を達成するために、本考案は創作されたものであり、
襟元が開いたシャツの所定のボタンと該ボタンに対応するボタン穴が設けられる上前立てとに取り付けられるシャツ用留具であって、
前記ボタン及び前記ボタン穴又は該ボタン穴が設けられる上前立ての前面を覆って幅方向に延びる板状部と、
少なくとも前記ボタン穴又は該ボタン穴が設けられる上前立てに装着され、前記板状部材の後方で隙間を空けて該板状部材の一端に結合される装着部と、
前記板状部材又は前記装着部に設けられ、前記ボタンを受容するボタン受容部とを備える。
【０００８】
本考案のシャツ用留具によれば、シャツのボタンとボタン穴又は上前立てとに取り付けられて、ボタンを受容し覆うことで対面者から見ると横方向の板状部材が前面に見えるように位置決めされるものである。本シャツ用留具は、簡単な着用操作で開襟状態であることやボタン穴が見えていることへの抵抗感を拭うことができる。また、本シャツ用留具は着用時に前面の表れているのは板状部であり、種々の表示を行うことができるため着用者が意義を見出すものとすることもでき、表示によっては装飾的効果も高いため、むしろ積極的着用を促進する。さらに、セキュリティー面からも個体認識ツールとしての活用も期待できる。
【０００９】
まず、第1の本考案のシャツ用留具は、開襟した首元に装着されるものであり、具体的には、このシャツ用留具は、襟元が開いたシャツのボタンとボタン穴とを留めていない部分のボタンとボタン穴とに取り付けられ、
前記装着部は、前方からシャツのボタン穴又はその周辺の前立てに固定することが可能なボタン穴固定部を有し、
前記ボタン受容部は、前記ボタンと下前立てとの間で該ボタンと該下前立てとを縫い付けた糸を回避して該ボタンを受容し位置決めするボタン引掛部を有し、
前記板状部は、前記ボタン穴固定部とボタン引掛部とを幅方向に連結する。
【００１０】
また、前記ボタン穴固定部と前記ボタン引掛部とは、横方向に５０ｍｍ以下である、ことが好ましい。
【００１１】
クールビズ時の開襟は、第一ボタン〜第二ボタンまでであり、実際には首元の開襟量に個々に判断しており、概ね５０ｍｍ以下ということがわかった。首元を開襟する場合、開きすぎると業務上に適した見た目とはならず、概ね限界点が開襟部が逆正三角形程度であることによる。したがって、一般的な各ボタン穴の上下間隔は５０ｍｍ以下であり、これに基づいく逆正三角形の底辺は５０ｍｍ以下となる。この５０ｍｍ以下を本第１のシャツ用留具のボタン穴固定部・ボタン引掛部間の距離としている。
【００１２】
この数値範囲内で数種製品化すると汎用化し易く、本シャツ用留具をコストダウンして使い捨て製品にすることも可能となる。このことは省エネというクールビズの第一義の達成を促進するものであり、社会的要請も大きいと考えられる。
【００１３】
また、前記ボタン穴固定部は、前記板状部の裏面から突出して先端側の頭部が根元側より大きい略鋲形状を有し、前方からボタン穴に挿入して先端がボタン穴の縁部に引掛かることで位置決めされる、ことが好ましい。
【００１４】
本第1のシャツ用留具によれば、ボタン穴固定部が板状部の裏面から突出し先端の頭が大きい形状であるため単にボタン穴に挿入するだけで引掛けることができ、通常のボタン留めと同様の操作で固定することができる。
【００１５】
前記ボタン穴固定部は、開いた襟元から横方向ボタン穴側に侵入させてシャツの上前立てを弾性力により前後方向両側から挟んで固定する挟持手段を有しても良い。
【００１６】
本第1のシャツ用留具によれば、ボタン穴固定部をシャツの前立てに挟んで固定するためユーザがネクタイ着用時に装着するネクタイピンと同様の簡単な操作で固定することができる。
【００１７】
また、前記ボタン引掛部は、前記板状部の裏面から離間して内側方向に開放する開口を有するボタン受容部を設けることができる。
【００１８】
本第1のシャツ用留具によれば、ボタン引掛部が引掛対象となるボタンとシャツとの間に横から差し込むだけでボタンを固定することでき、取り付けが容易である。また、このボタン引掛部の開口は体軸側（内側）にだけ開放されるため、通常、着用者が腕の動作等すると力が作用する開襟方向は開放されずストッパになるため外れ難い。
【００１９】
前記ボタン引掛部は、前記板状部の裏面から離間して前後方向に貫通する開口を有するボタン受容部を設け、該開口はボタン径よりも大きい拡大部を有しても良い。
【００２０】
本第1のシャツ用留具によれば、ボタン引掛部の貫通開口にボタン径よりも大きい拡大部を設けているため通常操作同様にボタンを傾けて入れることができる。
【００２１】
また、前記ボタン引掛部は、前記板状部の裏面から離間して前後方向に貫通する開口を有するボタン受容部を設け、該開口は切込みが設けられ可撓性を有する樹脂製の膜部材で閉鎖され、ても良い。
【００２２】
本第1のシャツ用留具のボタン引掛部の開口は、切込み（スリット）を設けた樹脂製の膜部材で閉鎖している。この構成ではボタンを切込みに押圧しながら挿入することによりボタン受容部内にボタンを固定することができる。
【００２３】
さらに、前記ボタン引掛部は、横方向に延びて上下両側から弾性力によりボタンを一対の挟持部材を設ける、場合もある。
【００２４】
この本第1のシャツ用留具のボタン引掛部は、挟持部材でボタンを上下両側から挟み込むことでボタンを固定する。ボタンの挟持する力は弾性力であり、代表的には挟持部材自体の弾性変形に基づくものである。この構成によれば、ボタンを弾性力で支持するため横方向外側にストッパが存在しなくとも確実にボタンを固定することができる。
【００２５】
また、第２のシャツ用留具は、第1のシャツ用留具同様に開いた襟元に装着するものであるが、第1のシャツ用留具は開いた襟元のボタン留めしていないボタン及びボタン穴（又は下前立て）に装着されるのに対して、第２のシャツ用留具は、開いた襟元のボタン留めしている最上部の位置の上前立て及びボタンに装着されるものである。具体的には、
第２の本考案のシャツ用留具は、襟元が開いたシャツのボタン穴にボタンが挿入・固定されている位置の最も首元に近い最上部位置に取り付けられるシャツ用留具であって、
前記装着部は、幅方向外側からボタンが留められていない穴又は上前立てを挟んで装着することが可能な上前立て固定部であり、
前記ボタン受容部は、前記上前立て固定部又は前記板状部に設けられ、前記上前立て固定部は上前立てに装着された状態で上下方向にスライドさせると、前記ボタンと下前立てとの間で該ボタンと該下前立てとを縫い付けた糸を回避して該ボタンを受容し幅方向の移動を規制する。
【００２６】
上記第２の本考案のシャツ用留具では、開いた襟元のボタン留めしている最上部のボタン及び上前立てに装着するものであり、まず上前立て固定部で上前立てを挟んで幅方向に侵入させ、この状態で上又は下方向にスライドさせてボタン受容部にボタンを収容することで幅方向のズレを防止する構成となっている。この構成のシャツ用留具の場合でも、一番上のボタン留部の目隠しとなり、第１の本考案のシャツ用留具同様に、装飾的・広告的機能をも発揮することができる。
【００２７】
この第２の本考案のシャツ用留具は具体的に、前記上前立て固定部が、前記板状部の一端側を折り曲げて前記板状部と前後方向に隙間を空けて並列して形成され、前記ボタン受容部は、前記板状部に対して前後方向の隙間が拡大する部分（例えば実施形態における外側部１１４ｃ参照）と、該拡大する部分の幅方向両側に前記板状部に対して前後方向の隙間が縮小する部分（例えば実施形態における外側部１１４ｅ、１１４ｆ参照）と、を前記上前立て固定部に設けることで形成されても良い。
【００２８】
また、他の例として前記上前立て固定部は、前記板状部と前後方向に隙間を空けて並列して形成され、前記ボタン受容部は、前記板状部に前方向の上下に開放された凹部分を設けることで形成されても良い。
【考案の効果】
【００２９】
本考案のシャツ用留具によれば、襟元が開いたシャツの開襟部の一部及びボタン穴を覆いながら、装飾的効果や着用の意義を加味し得るシャツ用留具を提供することができる。
【図面の簡単な説明】
【００３０】
【図１】第１の本考案の第１の実施形態に係るシャツ用留具を示す図であり、（ａ）は斜視図、（ｂ）は正面図を示している。
【図２】第１の本考案の第１の実施形態に係るシャツ用留具を示す図であり、（ａ）背面図、（ｂ）は平面図示している。
【図３】第１の本考案の第１の実施形態に係るシャツ用留具を示す図であり、（ａ）は左側面図、（ｂ）は右側面図を示している。
【図４】第１の本考案の第１の実施形態に係るシャツ用留具を装着するシャツを例示した略図を示している。
【図５】第１の本考案の第２の実施形態に係るシャツ用留具を示す図であり、（ａ）は背面図、（ｂ）は平面図を示している。
【図６】第１の本考案の第３の実施形態に係るシャツ用留具を示す図であり、（ａ）は平面図、（ｂ）は背面図を示している。
【図７】図５のシャツ用留具のボタン引掛部の他の例を示す図である。
【図８】図５のシャツ用留具のボタン引掛部のさらに他の例を示す図である。
【図９】第２の本考案の第１の実施形態に係るシャツ用留具を示す図であり、（ａ）は板状部を除いた背面図、（ｂ）は板状部を除いた平面図、（ｃ）は板状部を除いた底面図を示している。
【図１０】第２の本考案の第１の実施形態に係るシャツ用留具の板状部を示す図であり、（ａ）は背面図、（ｂ）は平面図を示している。
【図１１】図９のシャツ用留具の内側部の他の例を示す図であり、（ａ）は拡大平面図、（ｂ）及び（ｃ）は拡大背面図を示している。
【図１２】第２の本考案の第２の実施形態に係るシャツ用留具を示す図であり、（ａ）は板状部を除いた背面図、（ｂ）は板状部を除いた平面図を示している。
【考案を実施するための形態】
【００３１】
上述するように本考案のシャツ用留具は、大きく第1の考案と第２の考案とで構成されている。具体的には、図１〜３及び図５〜図９は第1の本考案の実施形態が示されており、図１０〜図１１は第２の本考案の実施形態が示されている。
【００３２】
まず、第１の本考案の実施形態の一例であるシャツ用留具１０の実施形態について説明する。
図１は第１の実施形態としてのシャツ用留具１０の斜視図、図２は（ａ）にシャツ用留具１０の左側面図、（ｂ）にシャツ用留具１０の右側面図、図３は（ａ）にシャツ用留具１０の背面図、（ｂ）にシャツ用留具１０の平面図が示されている。
【００３３】
シャツ用留具１０は、まず略四角形状で前後方向に湾曲し、模様や広告等の表示を付す滑面を前面１３ａに形成する板状部１３を有している。板状部１３の裏面１３ｂの両端側の一方には、後方に突出するボタン穴固定部１１を有している。このボタン穴固定部１１は、板状部１３の裏面１３ｂ側に末広がり又は略直立する根元部１１ａと根元部１１ａの先端から幅方向両側に拡がる傘部１１ｂとで構成されている。傘部１１ｂはボタン穴に挿入できる形状であればよく、代表的には円板状で形成される。
【００３４】
また、板状部１３の裏面１３ｂの両端側の他方には、ボタン引掛部１２を有しており、裏面１３ｂに溶着又は接着される支持部１２ａと、支持部１２ａの幅方向端部（裏面１１ｂの端部）から起立する壁部１２ｂと裏面１１ｂに略平行で壁部１２ｂから幅方向内側に屈曲して延びる第１引掛部１２ｃと第２引掛部１２ｄとを有している。第１引掛部１２ｃと第２引掛部１２ｄとは、それぞれ互いに中央幅方向に隙間を空けて略並行に延びている。
【００３５】
次に、シャツ１にシャツ用留具１０を留める位置及び方法について説明する、図４には開襟状態のシャツ１が示されており、点線でシャツ用留具１０の位置を示している。図４のシャツ１は第１ボタン６ａと第２ボタン６ｂとがそれぞれ第１ボタン穴５ａと第２ボタン穴５ｂに止められず開けられ、図示しない第３ボタンより下方のボタンはそれぞれ第３ボタン穴等留められた状態を示している。
【００３６】
図４ではシャツ用留具１０を第２ボタン６ｂ及び第２ボタン穴５ｂに位置決めしている。まずシャツ用留具１０のボタン引掛部１２を第２ボタン６ｂに引っ掛ける。具体的には、ボタン引掛部１２を横方向外側から第２ボタン６ｂに移動させ、背面視においてボタン引掛部１２の第１引掛部１２ｃと第２引掛部１２ｄとの隙間ｗ１に第２ボタン６ｂの糸部６ｂ２を通し（図２（ａ）参照）、平面視において第１引掛部１２ｃ及び第２引掛部１２ｄと支持部１２ａとの隙間ｈ１に第２ボタン６ｂのボタン部６ｂ１を介挿させる（図２（ｂ）参照）。隙間ｗ１はボタン部６ｂ１の径より小さく、隙間ｈ１はボタン部６ｂ１の厚みより大きい。
【００３７】
次に、ボタン引掛部１２を第２ボタン６ｂに引っ掛けた状態で、ボタン固定部１１の傘部１１ｂを第２ボタン穴３ｂに挿入し、ボタン固定部１１をボタン穴側の前立て３に引っ掛ける。ボタン固定部１１の傘部１１ｂは、第２ボタン穴５ｂから抜けないように第２ボタン穴５ｂの孔長よりも大きな径であることが好ましい。ボタン穴固定部１１の根元部１１ｂの高さは、ボタン穴固定部１１の挿入し易さと、前立て３の厚み及びシャツ用留具１０とを位置決めした際の前後揺動と、のバランスを考慮して決定される。
【００３８】
ボタン引掛部１２を第２ボタン６ｂに引っ掛け、ボタン固定部１１を第２ボタン穴３ｂに挿入・引掛けると、板状部１３の前面１３ａで第２ボタン６ｂと第２ボタン穴５ｂとを共に隠し、対面者は前面１３ａのみ見える状態となる。したがって、板状部１３の前面１３ａに模様や広告等を表示することでノーネクタイの不安感を払拭したり、装飾機能や広告機能を加味することができる。
【００３９】
次に、第１の本考案の実施形態の第二例であるシャツ用留具２０の実施形態について説明する。シャツ用留具２０は、図１〜図４に示すシャツ用留具１０とボタン引掛部１２の形状が大きく異なっている。図５ではボタン引掛部２０が示され、（ａ）はシャツ用留具２０の背面図、図５（ｂ）はシャツ用留具２０の平面図が示されている。
【００４０】
シャツ用留具２０のボタン引掛部２２は、シャツ用留具１０のボタン引掛部１２と異なり、天面部２２が内側に開放されず壁部２２ｇで内側が閉鎖されて、前後方向に貫通するボタン引掛穴２２ｃを設けている。ボタン引掛穴２２ｃは内側から順に設けられた第1穴２２ｅと第２穴２２ｆとが連結されて一つの開口を形成している。第１穴２２ｅは上下方向に、第２穴２２ｆの幅ｗ３より小さくボタンの厚み以上の幅ｗ２を有する。また、第２穴２２ｆの幅ｗ３はボタン径より小さい。また、第１穴２２ｅ〜第２穴２２ｆの左右方向の幅ｗ４は、ボタン径より大きい。さらに、支持部２２ａと天面部２２ｃとの厚み方向（前後方向）の隙間ｈ２（支持部２２ａがなく壁部２２ａ、２２ｇが裏面２３ｂに直付けの場合は、裏面１３ｂと天面部２２ｃとの隙間ｈ２）は、ボタンの厚みより大きい。
【００４１】
このようなボタン引掛部２２にボタンを引っ掛ける場合、ボタンを左右方向の直径中心に回転させてその厚みをボタン引掛穴２２の第１穴２２ｅ及び第２穴２２ｆに挿入していき、ボタン全体が天面２２と支持部２２ａ（又は裏面２２ｂ）との隙間に入り板状部１３と略並列になって位置決めされる。このとき幅ｗ３はボタン径より小さいので板状部１３が前後又は左右方向にずれてもボタンからシャツ用留具２０が脱落することはない。また、シャツ用留具２０をシャツから外すときには、板状部１３を前後方向に回転させてボタンの厚みを第１穴２２ｅ及び第２穴２２ｆから抜き出すことでなされる。
【００４２】
次に、図１〜図４、図５のボタン穴固定部１１，２１の変型例としてのボタン穴固定部３１、ボタン穴固定部４１について説明する。図６（ａ）はボタン穴固定部３１の平面図、図６（ｂ）はボタン穴固定部４１の平面図、図６（ｃ）は図６（ｂ）のラインＡ−Ａに沿った断面図、が示されている。
【００４３】
ボタン穴固定部３１は、第２ボタン穴５ｂに挿入されるボタン穴挿入部３４と、ボタン穴挿入部３４を受容する受容部３５との２部材で構成される。ボタン穴挿入部３４は、上側（シャツ側）からボタン形状近似の傘部３１ｂと、一端が傘部３１ｂの底面に連結して下方に延びる連結部３１ｄと、連結部３１ｄの他端と連結され傘部３１ｂと距離あけて並行に配設されるツバ部３１ｃと、で一体になって形成される。また、受容部３５は、ボタン穴固定部３１を上下動可能に受容連結し、板状部３３の裏面３３ｂに結合する中空の枠部材であり、板状部３３の裏面３３ｂに接着された当接部３１ａ（当接部３１ａを設けない場合は直接裏面３３ｂ）から互いに上方に起立する壁部３１ｆ、３１ｇと、壁部３１ｆ、３１ｇの上方で天面を形成する蓋部３１ｅとで一体に形成される。蓋部３１ｅと当接部３１ａ（又は裏面３３ｂ）とは隙間３６を空けて並行に配設され、蓋部３１ｅに設けられた貫通孔３１ｈにボタン穴固定部３１の連結部３１ｄが通され、蓋部３１ｅに対して傘部３１ｂとツバ部３１ａとが上下動のストッパとして機能する。これら構成によりボタン穴固定部３１は、ボタン穴固定部１１等と同様に傘部３１ｂをボタンのように第２ボタン穴５ｂに挿入し、ボタン穴固定部３１を位置決めすることができる。
【００４４】
また、ボタン穴固定部４１も同様に、第２ボタン穴５ｂに挿入されるボタン穴挿入部４４と、ボタン穴挿入部４４を受容する受容部４５との２部材で構成される。ボタン穴挿入部４４は、上側からボタン形状近似の傘部４１ｂと、一端が傘部４１ｂの底面に連結して下方に延びる連結部４１ｄと、連結部４１ｄの他端と連結され傘部４１ｂと並列して横方向両側に延びる棒状部４１ｃと、が一体に形成される。また、受容部４５は、板状部４３の裏面４３ｂに結合する中空の枠部材であり、板状部４３の裏面４３ｂから上方に起立する壁部４１ｆ、４１ｇを備えている。壁部４１ｆ、４１ｇは、貫通孔４１ｆ（１）、４１ｇ（１）を設け、これに両端部４１ｃ（１９、４１ｃ（２）を内側から通すことで棒状部４１ｃを軸回転させ、ボタン穴固定部４１を板状部４３に対して揺動可能にしている。この構成によりボタン穴固定部４１は、傘部４１ｂをボタンのように第２ボタン穴５ｂに挿入し、ボタン穴固定部４１を位置決めすることができる。
【００４５】
なお、ボタン引掛部２２はボタンを容易に固定できる構成であれば他のものでも良く、例えば、図７に示すようにボタン引掛部２２のボタン引掛穴２２ｄの変形例であるボタン引掛穴５２ｄが示されている。
【００４６】
ボタン引掛穴５２ｄは内側（紙面左方）に開口５２ｅを有し、その右方に略矩形の穴５２ｆを有する。開口５２ｅは内側に向かってテーパ形状に拡がっている。図に示す開口５２ｅの幅方向の最短の長さｗ２は、穴５２ｆの幅方向の長さｗ２’よりも小さく、また開口５２ｅと穴５２ｆとの接続箇所は、穴５２ｆの幅方向中央近傍である。ボタン引掛穴５２ｄを有するボタン引掛部５２にボタンを引っ掛ける場合は、開口５２を介して図示しない糸を穴５２ｆに導入するように、ボタンの横方向から、ボタン全体が天面２２と支持部２２ａ（又は裏面２２ｂ）との隙間に入り板状部１３と略並列になるように、シャツ用留め具２０をボタンに引っ掛ける。この時、穴５２ｆに導入された糸は、シャツ用留め具２０の自重により、穴５２ｆの上部（紙面上方）に位置する。すると、シャツ用留め具２０とボタンとが相対的位置が左右に移動した場合でも、糸は穴５２ｆから開口５２ｅへ移動することはなく、結果としてボタン引掛穴５２ｄから糸が離脱することはない。結果として、ボタンがボタン引掛穴５２ｄから離れることはない。取り外す場合は、使用者が糸を開口５２ｅを通過させることで可能となる。
【００４７】
図８には、図５（ａ）におけるボタン引掛部２２のボタン引掛穴２２ｄの変形例であるボタン引掛穴６２ｄが示されている。
【００４８】
ボタン引掛穴６２ｄは内側（紙面左方）から順に設けられた第１穴６２ｅと、第２穴６２ｆと、第３穴６２ｅ’とが連結されて一つの開口を形成している。第１穴６２ｅ及び第３穴６２ｅ’は上下方向に、第２穴６２ｆの幅ｗ３より小さくボタンの厚み以上の幅ｗ２及びｗ２’を有する。また、第２穴６２ｆの幅ｗ３はボタン径より小さい。また、第１穴６２ｅ〜第３穴６２ｅ’の左右方向の幅ｗ４は、ボタン径より大きい。
【００４９】
ボタン引掛穴６２ｄを有するボタン引掛部２２にボタンを引っ掛ける場合は、図５（ａ）のボタン引掛穴２２ｄを有するボタン引掛部２２の場合と概ね同様に、ボタンを左右方向の直径中心に回転させてその厚みをボタン引掛穴６２ｄの第１穴６２ｅ、第２穴６２ｆ及び第３穴６２ｅ’に挿入していく。第２穴６２ｆの両側に、第２穴６２ｆの幅ｗ３より小さくボタンの厚み以上の幅ｗ２及びｗ２’を有する第１穴６２ｅ及び第３穴６２ｅ’が設けられているため、ボタンの挿入後にボタンとボタン引掛穴６２ｄとの相対回転に伴うボタンのボタン引掛穴６２ｄからの離脱を抑制する効果を向上させる。
【００５０】
図９は、第２の本考案の第１の実施形態に係るシャツ用留具を示す図であり、（ａ）は板状部を除いた背面図、（ｂ）は板状部を除いた平面図、（ｃ）は板状部を除いた底面図を示している。第２の本考案のシャツ用留具１１０は、板状部を除いて、長手方向に伸びる一つの部材が概ね厚み方向に折りたたまれた構成である。
【００５１】
具体的には、シャツ用具１１０は、一つの部材が折り目部１１６を折部として折りたたみ、内側部１１２と外側部１１４とが厚み方向に対向する構成であり、シャツ用具１１０を図中右方向に移動させ、内側部１１２と外側部１１４とに挟まれる空間に前立て３を挟み込むことで（図４参照）、前立て３を固定し、ボタン６ｂを受容することができる。
【００５２】
内側部１１２は、中央近傍から長手方向端部に開口する略板形状（略二又矛形状）であり、２つの端部近傍において、開口は、端部に向かって拡がるテーパ状である（図９（ｂ）参照）。端部近傍から中央近傍までの開口の幅ｗ５はボタン６ｂの径よりも小さい。外側部１１４は、板形状が短手方向に沿って複数箇所で折れ曲がった形状であり（図９（ｂ）及び（ｃ）においては、屈曲部分を破線で示している）、端部から順に１１４ａ、１１４ｂ、１１４ｅ、１１４ｃ、１１４ｆ、１１４ｄに区分される。また、外側部１１４ａ〜ｄに対向する内側部１１２の箇所をそれぞれ、１１２ａ、１１２ｂ、１１２ｃ、１１２ｄとする。
【００５３】
内側部１１２ａ及び外側部１１４ａは、外側部１１４及び内側部１１２から離れるように反って屈曲している（図９（ａ）参照）。内側部１１２ｂ〜ｃは屈曲しておらず、一体で略平面である。これに対して、外側部１１４ｂ〜ｆの配置について図９（ａ）を参照して説明する。外側部１１４ｂは、内側部１１２ｂと当接、もしくはボタン６ｂ及び前立て３の厚みよりも狭い間隔をあけて内側部１１２ｂと略並行に配置される。外側部１１４ｃは、内側部１１２ｃと幅ｗ６を開けて内側部１１２ｃと略並行に配置される。外側部１１４ｄは、一部に内側部１１２ｄと幅ｗ７の間隔を開けて内側部１１２ｄに対向して配置される。幅ｗ６はボタン６ｂの厚みより大きく、幅ｗ７は前立て３の厚みと略同一以上、ボタン６ｂの厚み未満である。外側部１１４ｅは内側部１１２ｂ、１１２ｃ及び外側部１１４ｂ、１１４ｃと略垂直であり、外側部１１４ｆは、外側部１１４ｃ及び１１４ｄに対して垂直でなく、傾斜を形成している。
【００５４】
図９（ａ）及び（ｂ）を参照して、第２の本考案の第１の実施形態に係る板状部を除いたシャツ用留具１１０の使用方法を説明する。まず、図示しない前立てとボタン６ｂと縫い付ける糸を内側部１１２ａの間の開口に通しつつ、ボタン６ｂの厚み方向を挟むように内側部１１２ａ及び外側部１１４ａの間にボタン６ｂを挿入する。この際、内側部１１２ａ及び外側部１１４ａは互いに離れるように屈曲しているため、使用者はボタン６ｂを受容しやすい。次に、ボタン６ｂを内側部１１２ｂ及び外側部１１４ｂ方向に押圧すると、内側部１１２ｂ及び外側部１１４ｂとの間隔を拡げつつ、ボタン６ｂが内側部１１２ｃ及び外側部１１４ｃで形成される空間であるボタン受容部１１８へと移動する。開口の幅ｗ５はボタン６ｂの経より小さいため、該移動において、ボタン６ｂが開口から抜け落ちることはない。ここで、シャツ用留具１１０は、手力でボタンを押圧して容易に内側部１１２ｂ及び外側部１１４ｂとの間隔を拡げることが可能な、可撓性を有する金属製又は樹脂製が採用される。
【００５５】
ボタン６ｂは、ボタン受容部１１８に移動すると、開口を通った図示しない糸が中央近傍の開口始部１１２ｇに当接し、それ以上の移動が防止される。また、外側部１１４ｄと内側部１１２ｄとの幅ｗ７はボタン６ｂの厚みより小さいため、ボタン６ｂが外側部１１４ｄを超えての移動は抑制される。さらに、内側部１１２ｂ及び外側部１１４ｂとの間隔は、ボタン６ｂが通過後は、弾性で元のボタン６ｂ未満の間隔に戻ることとなる。そして、外側部１１４ｅが内側部１１２ｂ及び外側部１１４ｂと垂直であるため、内側部１１２ａ及び外側部１１４ａ方向へのボタン６ｂの押圧力は外側部１１４ｅによって全て受け止められてしまうため、内側部１１２ｂ及び外側部１１４ｂとの間隔が拡がることは抑制される。従って、ボタン６ｂがボタン受容部１１８に位置決めされる。
【００５６】
次に、前立て３の厚み方向を挟むように内側部１１２ａ及び外側部１１４ａの間に前立て３を挿入し、内側部１１２ｂ及び外側部１１４ｂの間に挟み込む。先述のように、シャツ用留具１１０は、可撓性を有するため、前立て３は内側部１１２ｂ及び外側部１１４ｂの挟持力によって位置決めされる。これによって、ボタン６ｂと前立て３とが、シャツ用留具１１０によって位置決めされる。
【００５７】
図１０は、第２の本考案の第１の実施形態に係るシャツ用留具の板状部を示す図であり、（ａ）は背面図、（ｂ）は平面図を示している。図９（ｂ）及び（ｃ）も参照して、板状部１１３について説明する。
【００５８】
板状部１１３は、まず略四角形状で前後方向に湾曲し、模様や広告等の表示を付す滑面を前面１１３ａに形成する。板状部１１３の裏面１１３ｂは、留具取り付け部１１３ｃを内部に備え（図１０（ａ）で破線表示）ており、突出部１１３ｃ’を有する。留具取り付け部１１３ｃは、シャツ用留具１１０の外側部１１４ｃを受容するように、直方体形状に陥没しており、外側部１１４ｃには、突起部１１３ｃ’を受容する貫通穴１１４ｃ’が配設される。貫通穴１１４ｃ’に突起部１１３ｃ’を挿入して位置決めしつつ、留具取り付け部１１３ｃの外側部１１４ｃとの当接面に接着剤を塗布して外側部１１４ｃに受容させることで、板状部１１３とシャツ用留具１１０（板状部無し）とを連結することができる。
【００５９】
図１１は、図９のシャツ用留具の内側部１１２ａの他の例を示す図であり、（ａ）は拡大平面図、（ｂ）及び（ｃ）は拡大背面図を示している。図９（ａ）は内側部１１２ａが、シャツ用留具１１０の短手方向において、内側部１１２ｂからテーパ状に拡がった形状のものを示す。該構成によれば、ボタン６ｂと内側部１１２ａとの接触が容易となるため、ボタン６ｂの内側部１１２ａを介したボタン受容部１１８への移動が容易となる。また、内側部１１２ａは前立て３の内側（人体側）へと差し込まれるため、連結される板状部１１３から内側部１１２ａがはみ出した場合でも、他人の目に触れる恐れはなく、装飾機能を損なうことはない。テーパ状の角度は手操作面から３０〜４５°が好ましい。
【００６０】
図１１（ｂ）及び（ｃ）は、内側部１１２ａの、シャツ用留具１１０の厚み方向の形状の変形例を示している。内側部１１２ａは、ボタン６ｂの受容のために外側部１１４から離れるように屈曲していれば良く、例えば図に示すような、変形例も採用されうる。
【００６１】
図１２は第２の本考案の第２の実施形態に係るシャツ用留具を示す図であり、（ａ）は板状部を除いた背面図、（ｂ）は板状部を除いた平面図を示している。図１２について、図９の第１の実施形態と異なる点について説明する。
【００６２】
図１２（ａ）に示すシャツ用留具１２０は、図９のシャツ用留具１２０と同様に、ボタン受容部１２６にボタン６ｂを位置決めし、内側部１２２ｂ及び外側部１２４ｂの間で前立て３を挟持して位置決めする。ここで、図１２（ｂ）で示すように、内側部１２２ｃは面にボタン受容のための略矩形の切れ込み１２８ａを有する。切れ込み１２８ａは、内側部１２２ａを右方とした場合の、内側部１２２ｃの上方に配設される切れ込み口１２８ｂを通じて開口している。切れ込み口１２８ｂは開放方向に向かってテーパ形状であり、最小幅ｗ８は図示しない糸の経よりも大きい。使用者は、まず、シャツ用留具１２０を、切れ込み口１２８ｂを下方にして内側部１２２ｃをボタン６ｂと糸との間に挿入し、切れ込み口１２８ｂを介して糸を切れ込み１２８ａに導入する。シャツ用留具１２０の自重によって、切れ込み口１２８ｂから糸が離脱することはなく、糸は１２８ａ内に位置決めされ、ボタン６ｂはボタン受容部１２８に位置決めされる。次に、内側部１２２ｂ及び外側部１２４ｂの間で前立て３を挟持して位置決めする。これによって、ボタンとシャツ用留具１２０との相対回転が防止され、シャツ用留具１２０の適切な装着が可能となる。
【００６３】
図１２（ａ）に示すシャツ用留具１２０は、内側部１２２ｂ及び１２２ｄが面上に波形状を備えている（図１２（ｂ）の破線でも示す）。該構成により該箇所の弾性が向上し、より前立て３の挟持が容易かつ強固となる。また、外側部１２４の各屈曲角度を９０°とすることで、外側部１２４ｂ及び１２４ｄにおいて直方体の溝を形成されるため、図示しない板状部を外側部１２４に嵌合等により固定することが容易となる。
【００６４】
なお、使用者が女性である場合（被服が女性用である場合）など、前立て３の位置が左右で異なる場合は、図１２（ｂ）に示した切れ込み口１２８ｂは、内側部１２２ａを右方とした場合の、内側部１２２ｃの下方に配設される。
【００６５】
図示しないが、図９、図１１及び図１２で示した内側部と外側部とによる前立て３の挟持方法は、手力で容易に開閉可能なバネを利用したクリップ等、薄布地を挟持するために適した一般的なものが採用される。
【符号の説明】
【００６６】
１０  シャツ用留具
１１  ボタン穴固定部
１２  ボタン引掛部
１３  板状部
【図１】
0003218210.tif 000003
【図２】
0003218210.tif 000004
【図３】
0003218210.tif 000005
【図４】
0003218210.tif 000006
【図５】
0003218210.tif 000007
【図６】
0003218210.tif 000008
【図７】
0003218210.tif 000009
【図８】
0003218210.tif 000010
【図９】
0003218210.tif 000011
【図１０】
0003218210.tif 000012
【図１１】
0003218210.tif 000013
【図１２】
0003218210.tif 000014